(57)【特許請求の範囲】
【請求項１】
プロジェクターであって、
光源装置と、
前記光源装置から出射される光を変調する光変調装置と、
前記光変調装置により変調された光を投射する投射光学装置と、
前記光源装置、前記光変調装置及び前記投射光学装置を収容する外装筐体と、を備え、
前記外装筐体は、載置面に当接する脚部を有する底面部と、
前記底面部の反対方向側に位置する天面部と、を備え、
前記天面部は、当該天面部から離れる方向に突出し、前記プロジェクターと同形状である他のプロジェクターが積層される際に、当該他のプロジェクターの脚部の移動を規制する起立リブを有し、
前記起立リブは、前記他のプロジェクターが積層される際に、前記他のプロジェクターの脚部の周縁の少なくとも一部に沿って形成され、前記天面部の外縁に向けて開く略半円形状であることを特徴とするプロジェクター。
【請求項２】
請求項１に記載のプロジェクターにおいて、
前記起立リブは、前記天面部の外縁に沿って設けられていることを特徴とするプロジェクター。
【請求項３】
請求項１又は請求項２に記載のプロジェクターにおいて、
前記起立リブは、少なくとも２つ設けられ、
前記天面部及び前記底面部は、略矩形状に形成され、
前記起立リブは、前記天面部の外縁を構成する一辺及び当該一辺の反対側に位置する一辺のそれぞれに少なくとも１つ設けられることを特徴とするプロジェクター。
【請求項４】
請求項３に記載のプロジェクターにおいて、
少なくとも１つの前記起立リブは、前記天面部から離れるに従って、前記外装筐体の外側から内側に向けて傾斜する傾斜面を有することを特徴とするプロジェクター。
【請求項５】
請求項３又は請求項４に記載のプロジェクターにおいて、
少なくとも２つの前記起立リブは、前記天面部の外縁を構成する一辺の両端近傍に設けられていることを特徴とするプロジェクター。
【請求項６】
請求項１から請求項５のいずれか一項に記載のプロジェクターにおいて、
前記外装筐体内に設けられる金属枠体を備え、
前記金属枠体の少なくとも一部は、前記外装筐体内における、前記他のプロジェクターの脚部が載置される位置に応じた位置に設けられていることを特徴とするプロジェクター。
【請求項７】
請求項１から請求項６のいずれか一項に記載のプロジェクターが上下に複数積層されたことを特徴とするプロジェクションシステム。
【発明の詳細な説明】
【技術分野】
【０００１】
本発明は、プロジェクター及びプロジェクションシステムに関する。
【背景技術】
【０００２】
従来、２台のプロジェクター本体を積み重ねて使用するプロジェクションシステムが知られている。このようなプロジェクションシステムでは、２台のプロジェクターが積み重ねられ、これらの拡大画像が同一のスクリーン上で重畳され、投射画像の輝度を高めている。
【０００３】
この特許文献１に記載のプロジェクションシステムを構成するプロジェクターのうち、下側に配置されるプロジェクターの表面には、当該プロジェクターに搭載される他のプロジェクター本体の脚が乗る補強部分には、表面を梨地状にざらざらした金属部材などからなる固定手段が設けられている。この固定手段に他のプロジェクター脚を構成するボールが載置されると、当該ボールと固定手段との間に摩擦が生じ、これにより他のプロジェクター本体が自由に動くことが無いようにしている。
【先行技術文献】
【特許文献】
【０００４】
【特許文献１】特開平１１−２５８５６５号公報
【発明の概要】
【発明が解決しようとする課題】
【０００５】
ところで、特許文献１に記載のプロジェクターでは、固定手段と上記ボールとの間に生じる摩擦により、他のプロジェクターの移動を規制しているが、当該摩擦力よりも強い力が他のプロジェクターに作用すると、当該他のプロジェクターが移動する可能性がある。これに対し、上記固定手段に対して、上記ボールが嵌まり込む小さなくぼみ部を設けることが考えられる。
【０００６】
しかしながら、上記くぼみ部を設ける構成では、当該くぼみ部を設けた分、プロジェクターを構成する外装筐体の内側に当該くぼみ部が突出し、プロジェクター内部に各種装置を配置するためには、当該くぼみ部を設けた分だけ当該外装筐体の高さ寸法を大きくする必要がある。また、外装筐体の上面にくぼみ部を設けることから、外装筐体、ひいては、プロジェクターの外観が低下する。更に、上記くぼみ部に他のプロジェクターの重量が集中することから、当該くぼみ部が凹む可能性がある。これでは、２台のプロジェクターから投射される画像が適切に重畳できず、投射画像の画質が著しく低下する可能性がある。すなわち、上記特許文献１の構成及び上記構成では、プロジェクターが大型化し、外観が低下し、かつ、外装筐体が変形して投射画像の画質が著しく低下するという問題がある。
【０００７】
本発明は、上記課題の少なくとも１つを解決することを目的とするものであり、適切に重ねて配置できるプロジェクター及びプロジェクションシステムを提供することを目的とする。
【課題を解決するための手段】
【０００８】
本発明の第１態様に係るプロジェクターは、光源装置と、前記光源装置から出射される光を変調する光変調装置と、前記光変調装置により変調された光を投射する投射光学装置と、前記光源装置、前記光変調装置及び前記投射光学装置を収容する外装筐体と、を備え、前記外装筐体は、載置面に当接する脚部を有する底面部と、前記底面部の反対方向側に位置する天面部と、を備え、前記天面部は、当該天面部から離れる方向に突出し、他のプロジェクターが積層される際に、当該他のプロジェクターの脚部の移動を規制する起立リブを有することを特徴とする。
【０００９】
上記第１態様によれば、プロジェクターの天面部に他のプロジェクターが積層された際に、当該天面部に設けられた起立リブにより当該他のプロジェクターの脚部の移動を規制するので、当該他のプロジェクターの移動を規制できる。また、上記特許文献１に記載のプロジェクターのようにくぼみ部を設けていないので、プロジェクター内部に各種装置を外装筐体の高さ寸法を大きくすることなく、各種装置を配置できる。更に、くぼみ部を設ける必要がないので、プロジェクターの外観が向上できる。加えて、プロジェクターの天面部全体で他のプロジェクターを支えることができるので、当該天面部の他のプロジェクターの脚部が配置される部分が凹む可能性を低減できる。これにより、プロジェクターを小型化でき、外観を向上でき、かつ、外装筐体が変形して投射画像の画質が著しく低下することを抑制できる。従って、適切にプロジェクターを重ねて配置できる。
【００１０】
上記第１態様では、前記起立リブは、前記他のプロジェクターの脚部の周縁の少なくとも一部に沿って形成されていることが好ましい。
上記第１態様によれば、起立リブが他のプロジェクターの脚部の周縁の少なくとも一部に沿って形成されているので、一方向のみならず他方向への当該脚部の移動を規制できる。従って、天面部に積層された他のプロジェクターの移動を確実に規制できる。
【００１１】
上記第１態様では、前記起立リブは、前記天面部の外縁に向けて開く形状であることが好ましい。
上記第１態様によれば、起立リブが天面部の外縁に向けて開く形状であるので、他のプロジェクターを当該天面部に積層する際に、当該天面部上をスライドさせて起立リブに係合させることができる。これによれば、例えば、起立リブが他のプロジェクターの脚部の周縁の全てを囲む形状に形成されている場合に比べて、他のプロジェクターを天面部に容易に積層することができる。
【００１２】
上記第１態様では、前記起立リブは、前記脚部を囲む略半円形状であることが好ましい。
上記第１態様によれば、他のプロジェクターを当該天面部に積層する際に、当該天面部上をスライドさせて起立リブに容易に係合させることができる。また、起立リブが半円形状であるので、当該起立リブにより他のプロジェクターの脚部の当該外縁方向以外の方向への移動を規制できる。従って、容易に他のプロジェクターを天面部に積層でき、かつ、確実に他のプロジェクターの移動を規制できる。
【００１３】
上記第１態様では、前記起立リブは、前記天面部の外縁に沿って設けられていることが好ましい。
上記第１態様によれば、起立リブが天面部の外縁に沿って設けられているので、他のプロジェクターを当該プロジェクターに積層する際に、当該他のプロジェクターの脚部を起立リブに容易に係合させることができる。従って、容易に他のプロジェクターを積層できる。
【００１４】
上記第１態様では、前記起立リブは、少なくとも２つ設けられ、前記天面部及び前記底面部は、略矩形状に形成され、前記起立リブは、前記天面部の外縁を構成する一辺及び当該一辺の反対側に位置する一辺のそれぞれに少なくとも１つ設けられることが好ましい。
上記第１態様によれば、起立リブが略矩形状の天面部の外縁を構成する一辺及び当該一辺の反対側に位置する一辺のそれぞれに設けられているので、１つの起立リブにより他のプロジェクターの脚部の移動が規制されている場合に比べて、確実に他のプロジェクターの移動を規制できる。
【００１５】
上記第１態様では、少なくとも１つの前記起立リブは、前記天面部から離れるに従って、前記外装筐体の外側から内側に向けて傾斜する傾斜面を有することが好ましい。
上記第１態様によれば、略矩形状の天面部の外縁を構成する一辺及び当該一辺の反対側に位置する一辺のそれぞれに起立リブが設けられ、当該起立リブの少なくとも１つの起立リブが上記傾斜面を有しているので、他のプロジェクターを当該プロジェクターの天面部に積層する際に、一方の起立リブに他のプロジェクターにおける上記一辺側の脚部を係合させ、他方の起立リブに上記一辺の反対側に位置する一辺側の脚部を係合させる際に、当該脚部が当該起立リブの傾斜面をスライドし、天面部に積層されることとなる。すなわち、上記第１態様によれば、他のプロジェクターを当該プロジェクターの天面部に容易に積層することができる。
【００１６】
上記第１態様では、少なくとも２つの前記起立リブは、前記天面部の外縁を構成する一辺の両端近傍に設けられていることが好ましい。
上記第１態様によれば、少なくとも２つの起立リブが天面部の外縁を構成する一辺の両端近傍に設けられているので、例えば、当該少なくとも２つの起立リブが上記一辺の中央近傍に設けられている場合に比べて、確実に他のプロジェクターの脚部の移動を規制できる。
【００１７】
上記第１態様では、前記外装筐体内に設けられる金属枠体を備え、前記金属枠体の少なくとも一部は、前記外装筐体内における、前記他のプロジェクターの脚部が載置される位置に応じた位置に設けられていることが好ましい。
上記第１態様によれば、当該プロジェクターに他のプロジェクターが積層された際に、当該他のプロジェクターの脚部が積層される位置に応じた位置に金属枠体が位置しているため、当該他のプロジェクターを当該金属枠体により支えることができる。これにより、他のプロジェクターの重量による外装筐体の変形を抑制できる。また、外装筐体の変形を抑制できるので、当該外装筐体の変形により生じる投射画像の画質が著しく低下することを抑制できる。
【００１８】
本発明の第２態様に係るプロジェクションシステムは、上記プロジェクターが上下に複数積層されたことを特徴とする。
上記第２態様によれば、上記第１態様に係るプロジェクターと同様の効果を奏する。また、プロジェクションシステムによれば、他方のプロジェクターの移動が確実に規制されるので、複数のプロジェクターから投射される投射画像の位置ずれを抑制できる。従って、複数のプロジェクターのそれぞれから投射された投射画像を被投射面に重畳させることができる。
【図面の簡単な説明】
【００１９】
【図１】本発明の一実施形態に係るプロジェクターの概略構成を示す概略図。
【図２】上記実施形態に係るプロジェクターの外観斜視図。
【図３】上記実施形態に係るプロジェクターの６面図。
【図４】上記実施形態に係るプロジェクターの平面図。
【図５】上記実施形態に係るプロジェクターの外観斜視図。
【図６】上記実施形態に係るプロジェクターの外装筐体内に配置されるフレームを示す斜視図。
【図７】上記実施形態に係るプロジェクターの外装筐体に配置されたフレームの位置を示す平面図。
【図８】上記実施形態に係るプロジェクションシステムを示す斜視図。
【発明を実施するための形態】
【００２０】
以下、本発明の一実施形態について、図面に基づいて説明する。
［プロジェクターの概略構成］
図１は、本実施形態に係るプロジェクター１の構成を示す模式図である。
プロジェクター１は、内部に設けられた光源から出射された光束を変調して画像情報に応じた画像を形成し、当該画像をスクリーンＳＣ１等の被投射面上に拡大投射する表示装置である。
このプロジェクター１は、図１に示すように、外装筐体２と、当該外装筐体２内に収納される光学ユニット３の他、図示を省略するが、当該プロジェクター１を制御する制御装置、冷却対象を冷却する冷却装置、及び当該プロジェクター１を構成する電子部品に電力を供給する電源装置を備える。
また、外装筐体２内には、金属枠体２Ｅが収納されている。なお、外装筐体２及び金属枠体２Ｅについて、詳しくは後述する。
【００２１】
［光学ユニットの構成］
光学ユニット３は、光源装置３１、色分離装置３２、平行化レンズ３３、複数の光変調装置３４、色合成装置３５、及び投射光学装置３６を備える。
光源装置３１は、青色光を出射するレーザー光源及び当該レーザー光源から出射された光を蛍光光に変換する蛍光体等を備え、当該光源装置３１から照明光ＷＬを出射する。
色分離装置３２は、光源装置３１から入射された照明光ＷＬを赤色光ＬＲ、緑色光ＬＧ及び青色光ＬＢの３つの色光に分離する。この色分離装置３２は、ダイクロイックミラー３２１，３２２、全反射ミラー３２３，３２４，３２５及びリレーレンズ３２６，３２７を備える。
【００２２】
ダイクロイックミラー３２１は、光源装置３１からの照明光ＷＬから青色光ＬＢ及びその他の色光（緑色光ＬＧ及び赤色光ＬＲ）を含む光を分離する。ダイクロイックミラー３２１は、青色光ＬＢを透過させるとともに、緑色光ＬＧ及び赤色光ＬＲを含む上記光を透過させる。
ダイクロイックミラー３２２は、ダイクロイックミラー３２１により分離された上記光から緑色光ＬＧ及び赤色光ＬＲを分離する。具体的に、ダイクロイックミラー３２２は、緑色光ＬＧを反射するとともに、赤色光ＬＲを透過させる。
【００２３】
全反射ミラー３２３は、青色光ＬＢの光路中に配置され、ダイクロイックミラー３２１にて透過された青色光ＬＢを光変調装置３４（３４Ｂ）に向けて反射させる。一方、全反射ミラー３２４，３２５は、赤色光ＬＲの光路中に配置され、ダイクロイックミラー３２２を透過した赤色光ＬＲを光変調装置３４（３４Ｒ）に向けて反射させる。また、緑色光ＬＧは、ダイクロイックミラー３２２にて、光変調装置３４（３４Ｇ）に向けて反射される。
リレーレンズ３２６，３２７は、赤色光ＬＲの光路の、ダイクロイックミラー３２２の下流に配置されている。これらリレーレンズ３２６，３２７は、赤色光ＬＲの光路長が青色光ＬＢや緑色光ＬＧの光路長よりも長くなることによる赤色光ＬＲの光損失を補償する機能を有する。
【００２４】
平行化レンズ３３は、後述する光変調装置３４に入射する光を平行化する。なお、赤、緑及び青の各色光用の平行化レンズを、それぞれ３３Ｒ，３３Ｇ，３３Ｂとする。また、赤、緑及び青の各色光用の光変調装置を、それぞれ３４Ｒ，３４Ｇ，３４Ｂとする。
【００２５】
複数の光変調装置３４（３４Ｒ，３４Ｇ，３４Ｂ）は、ダイクロイックミラー３２１及びダイクロイックミラー３２２により分離され、それぞれ入射される各色光ＬＲ，ＬＧ，ＬＢを変調して、画像情報に応じた色画像を形成する。これら光変調装置３４は、入射される光を変調する液晶パネルにより構成される。なお、光変調装置３４Ｒ，３４Ｇ，３４Ｂの入射側及び出射側にはそれぞれ、入射側偏光板３４１（３４１Ｒ，３４１Ｇ，３４１Ｂ）及び出射側偏光板３４２（３４２Ｒ，３４２Ｇ，３４２Ｂ）が配置されている。
【００２６】
色合成装置３５には、各光変調装置３４Ｒ，３４Ｇ，３４Ｂからの画像光が入射される。この色合成装置３５は、各色光ＬＲ，ＬＧ，ＬＢに対応した画像光を合成し、この合成された画像光を投射光学装置３６に向けて出射させる。本実施形態では、色合成装置３５は、クロスダイクロイックプリズムにより構成される。
投射光学装置３６は、色合成装置３５にて合成された画像光をスクリーンＳＣ１等の被投射面に投射する。このような構成により、スクリーンＳＣ１に拡大された画像が投射される。
【００２７】
［プロジェクターの外観］
図２は、本実施形態に係るプロジェクターの外観を示す斜視図であり、図３は、本実施形態に係るプロジェクターの６面図である。
プロジェクター１の外装筐体２は、図２及び図３に示すように、略直方体形状に構成され、ロアーケース２Ａ、アッパーケース２Ｂ、フロントケース２Ｃ及びバックケース２Ｄが組み合わされることにより構成される。これら各ケース２Ａ〜２Ｄにより構成される外装筐体２は、天面部２１、底面部２２、正面部２３、背面部２４、左側面部２５及び右側面部２６を備える。なお、底面部２２は、天面部２１の反対方向側の面であり、右側面部２６は、左側面部２５の反対方向側の面であり、正面部２３は、背面部２４の反対方向側の面である。
【００２８】
天面部２１は、他のプロジェクター（例えば、本実施形態に係るプロジェクター１と同形状のプロジェクター、以下、プロジェクター１Ａという場合がある。）が積層された際に、当該プロジェクター１Ａの脚部ＦＴの移動を規制する４つの起立リブ２１１（それぞれの起立リブを起立リブ２１１Ａ，２１１Ｂ，２１１Ｃ，２１１Ｄという場合がある。）を備える。
底面部２２は、当該プロジェクター１を載置面に載置する際に当接する４つの脚部ＦＴ（それぞれの脚部を脚部ＦＴ１，ＦＴ２，ＦＴ３，ＦＴ４という場合がある。）を備える。
また、正面部２３の略中央部分には、開口部（図示省略）を介して投射光学装置３６の一部が露出しており、当該投射光学装置３６により上記画像が投射される。
【００２９】
なお、以下の説明では、光源装置３１から出射される光の進行方向を＋Ｚ方向とし、当該＋Ｚ方向にそれぞれ直交し、かつ、互いに直交する方向を＋Ｘ方向及び＋Ｙ方向とする。本実施形態では、＋Ｚ方向は、背面部２４から正面部２３に向かう方向であるので、＋Ｙ方向を、上記底面部２２から天面部２１に向かう方向とし、＋Ｘ方向を、右側面部２６から左側面部２５に向かう方向とする。すなわち、＋Ｘ方向は、プロジェクター１を天面部２１側から平面視した場合に、投射光学装置３６による画像の投射方向と略平行な方向となる。
【００３０】
［起立リブの構成］
図４は、プロジェクター１を天面部２１側から見た平面図である。
天面部２１は、図４に示すように、起立リブ２１１Ａ，２１１Ｂ，２１１Ｃ，２１１Ｄを備える。これら起立リブ２１１Ａ〜２１１Ｄのそれぞれは、当該プロジェクター１に他のプロジェクター１Ａが積層される際に、当該他のプロジェクター１Ａの脚部ＦＴの移動を規制する。このため、起立リブ２１１Ａ〜２１１Ｄのそれぞれは、天面部２１における他のプロジェクター１Ａの脚部ＦＴが配置される領域Ａｒ１，Ａｒ２，Ａｒ３，Ａｒ４の周囲に設けられる。
【００３１】
これら起立リブ２１１Ａ〜起立リブ２１１Ｄは、天面部２１の外縁に沿って設けられている。具体的に、起立リブ２１１Ａ，２１１Ｂは、天面部２１の外縁を構成する＋Ｘ方向側の一辺に沿って設けられ、起立リブ２１１Ｃ，２１１Ｄは、天面部の外縁を構成する−Ｘ方向側の一辺に沿って設けられている。
また、起立リブ２１１Ａは、上記＋Ｘ方向側の一辺の＋Ｚ方向側に位置し、起立リブ２１１Ｂは、当該一辺の−Ｚ方向側に位置する。すなわち、起立リブ２１１Ａ，２１１Ｂは、天面部２１の外縁を構成する−Ｘ方向側の一辺の両端近傍に設けられている。一方、起立リブ２１１Ｃは、上記−Ｘ方向側の一辺の＋Ｚ方向側に位置し、起立リブ２１１Ｄは、当該一辺の−Ｚ方向側に位置する。すなわち、起立リブ２１１Ｃ，２１１Ｄは、天面部２１の外縁を構成する−Ｘ方向側の一辺の両端近傍に設けられている。
【００３２】
これら起立リブ２１１Ａ〜２１１Ｄのそれぞれは、本体部２１１１及び傾斜面２１１２を備える。本体部２１１１は、天面部２１から当該天面部から離れる方向（＋Ｙ方向）に突出する突出部であり、略Ｕ字状（略半円形状）に形成されている。換言すると、本体部２１１１は、後述する円柱状の脚部ＦＴの周縁の一部に沿う形状であり、天面部２１の外縁に向けて開く形状である。
また、本体部２１１１の内側には、傾斜面２１１２が設けられ、当該傾斜面２１１２は、天面部２１から離れるに従って、本体部２１１１に向けて傾斜している。すなわち、傾斜面２１１２は、天面部２１から離れるに従って、外装筐体２の外側から内側に向けて傾斜している。この傾斜面２１１２は、他のプロジェクター１Ａの脚部ＦＴが当該起立リブ２１１に係合される際に、当該脚部ＦＴを当該傾斜面２１１２に沿って−Ｙ方向にスライドさせる機能を有する。
このような構成により、上記領域Ａｒ１〜Ａｒ４のそれぞれに他のプロジェクター１Ａの脚部ＦＴが配置されると、起立リブ２１１Ａ〜２１１Ｄにより、当該脚部ＦＴの移動が規制される（図８参照）。
【００３３】
［脚部の構成］
図５は、プロジェクター１を−Ｙ方向側から見た斜視図である。
底面部２２は、図５に示すように、当該プロジェクター１を載置面に載置する際に当該載置面に当接する４つの脚部ＦＴ（それぞれの脚部を脚部ＦＴ１，ＦＴ２，ＦＴ３，ＦＴ４という場合がある。）を備える。これら脚部ＦＴ１〜ＦＴ４のそれぞれは、略円柱状に形成され、底面部２２の外縁に沿って設けられている。具体的に、脚部ＦＴ１〜ＦＴ４は、上記起立リブ２１１Ａ〜２１１Ｄにより囲まれた領域Ａｒ１〜Ａｒ４のそれぞれに対応する位置に設けられている。このため、同形状の他のプロジェクター１Ａが当該プロジェクター１の天面部２１に積層される場合、当該他のプロジェクター１Ａの脚部ＦＴ１〜ＦＴ４のそれぞれは、起立リブ２１１Ａ〜２１１Ｄのそれぞれに係合することにより、上記領域Ａｒ１〜Ａｒ４に移動を規制された状態で配置される（図８参照）。
なお、脚部ＦＴ１〜ＦＴ４のそれぞれは、底面部２２に設けられた孔部（図示省略）を介して、後述する金属枠体２Ｅにねじ固定される。
【００３４】
［金属枠体の構成］
図６は、外装筐体２内に配置される金属枠体２Ｅを＋Ｚ方向側から見た斜視図である。
金属枠体２Ｅは、外装筐体２内に配置され、外装筐体２の強度を向上させる機能を有する。この金属枠体２Ｅは、略矩形状の第１枠部２Ｅ１及び略Ｕ字状の第２枠部２Ｅ２を備える。これらのうち、第１枠部２Ｅ１は、外装筐体２内の底面部２２に対向する位置に配置される部材である。この第１枠部２Ｅ１には、上記脚部ＦＴ１〜ＦＴ４のそれぞれが固定される４つの螺合部２Ｅ１１が設けられている。
具体的に、第１枠部２Ｅ１の＋Ｘ方向側の端部には、上記脚部ＦＴ１，ＦＴ２が固定される２つの螺合部２Ｅ１１が設けられ、第１枠部２Ｅ１の−Ｘ方向側の端部には、上記脚部ＦＴ３，ＦＴ４が固定される２つの螺合部２Ｅ１１が設けられている。これら螺合部２Ｅ１１は、脚部ＦＴ１〜ＦＴ４から突出するねじ部（図示省略）に螺合する形状であり、当該螺合部２Ｅ１１に上記ねじ部が螺合する。これにより、上記脚部ＦＴ１〜ＦＴ４のそれぞれは、金属枠体２Ｅ（第１枠部２Ｅ１）に＋Ｙ方向に沿う方向に移動可能に固定される。
第２枠部２Ｅ２は、第１枠部２Ｅ１の外縁から＋Ｙ方向に突出し、投射光学装置３６が配置される側の端部が開放された略Ｕ字状の部材である。この第２枠部２Ｅ２は、外装筐体２内の天面部２１に対向する位置に配置される。
【００３５】
図７は、外装筐体２内に配置された金属枠体２Ｅの位置を破線で示すプロジェクター１の平面図である。
金属枠体２Ｅは、図７に示すように、外装筐体２内に配置され、第２枠部２Ｅ２は、外装筐体２を構成する天面部２１に対向する位置に配置される。この第２枠部２Ｅ２は、左枠部２Ｅ２１及び右枠部２Ｅ２２を備える。これらのうち左枠部２Ｅ２１は、左側面部２５側に位置し、上記天面部２１の他のプロジェクター１Ａの脚部ＦＴ１，ＦＴ２が積層される領域Ａｒ１，Ａｒ２に対向する位置に配置される。
また、右枠部２Ｅ２２は、右側面部２６側に位置し、上記天面部２１の他のプロジェクター１Ａの脚部ＦＴ３，ＦＴ４が載置される領域Ａｒ３，Ａｒ４に対向する位置に配置される。すなわち、金属枠体２Ｅが天面部２１の上記領域Ａｒ１〜Ａｒ４に対向する位置に配置されているので、上記他のプロジェクターの重量を当該金属枠体２Ｅにて支持できる。
【００３６】
［プロジェクションシステムの構成］
図８は、本実施形態に係るプロジェクションシステム１０を＋Ｚ方向側から見た斜視図である。
プロジェクションシステム１０は、複数のプロジェクター１が上下に複数積層されることにより構成される。具体的に、プロジェクションシステム１０は、プロジェクター１の天面部２１に他のプロジェクター１Ａが積層されることにより構成される。このようなプロジェクションシステムでは、プロジェクター１の投射光学装置３６及びプロジェクター１Ａの投射光学装置３６のそれぞれから出射された画像光がスクリーンＳＣ１上で重畳させる。
【００３７】
［プロジェクターの積層方法］
このようなプロジェクションシステム１０は、例えば、以下に説明する方法により積層される。
例えば、プロジェクター１を所定の載置面に載置した後、複数のユーザー（例えば、４人のユーザー）は、他のプロジェクター１Ａの底面部２２を把持し、プロジェクター１の上部を＋Ｘ方向側から−Ｘ方向に向けて移動させ、当該他のプロジェクター１Ａの脚部ＦＴ１，ＦＴ２をプロジェクター１における天面部２１の起立リブ２１１Ａ，２１１Ｂに囲まれた領域Ａｒ１，Ａｒ２上を−Ｘ方向にスライドさせて当該起立リブ２１１Ａ，２１１Ｂに係合させる。すなわち、プロジェクター１Ａの脚部ＦＴ１，ＦＴ２のみ起立リブ２１１Ａ，２１１Ｂに係合している（領域Ａｒ１，Ａｒ２に位置している）ため、当該状態におけるプロジェクター１Ａは、左側面部２５より右側面部２６が＋Ｙ方向側に位置している。
そして、プロジェクター１Ａの脚部ＦＴ１，ＦＴ２のみ起立リブ２１１Ａ，２１１Ｂに係合している状態において、ユーザーが他のプロジェクター１Ａを−Ｙ方向に移動させる（当該プロジェクター１Ａの右側面部２６を−Ｙ方向側に移動させる）と、底面部２２の脚部ＦＴ３，ＦＴ４がプロジェクター１の天面部２１における起立リブ２１１Ｃ，２１１Ｄの傾斜面２１１２に当接し、当該傾斜面２１１２をスライドし、天面部２１の領域Ａｒ３，Ａｒ４に当接する。これにより、プロジェクター１の天面部２１上に他のプロジェクター１Ａが積層され、当該他のプロジェクター１Ａの脚部ＦＴ１〜ＦＴ４がプロジェクター１の起立リブ２１１Ａ〜２１１Ｄにより移動が規制される。
【００３８】
［実施形態の効果］
プロジェクター１の天面部２１に他のプロジェクター１Ａが積層された際に、当該天面部に設けられた起立リブ２１１により当該他のプロジェクター１Ａの脚部ＦＴの移動を規制するので、当該他のプロジェクター１Ａの移動を規制できる。また、上記特許文献１に記載のプロジェクターのようにくぼみ部を設けていないので、プロジェクター内部に各種装置を外装筐体の高さ寸法を大きくすることなく、各種装置を配置できる。更に、くぼみ部を設ける必要がないので、プロジェクターの外観を向上できる。加えて、プロジェクター１Ａの天面部２１全体で他のプロジェクター１Ａを支えることができるので、当該天面部２１の他のプロジェクター１Ａの脚部ＦＴが配置される部分（領域Ａｒ１〜Ａｒ４）が凹む可能性を低減できる。これにより、プロジェクター１を小型化でき、外観を向上でき、かつ、外装筐体２が変形して投射画像の画質が著しく低下することを抑制できる。従って、適切にプロジェクター１，１Ａを重ねて配置できる。
【００３９】
起立リブ２１１が他のプロジェクター１Ａの脚部ＦＴの周縁の少なくとも一部に沿って形成されているので、一方向のみならず他方向への当該脚部ＦＴの移動を規制できる。従って、天面部２１に積層された他のプロジェクター１Ａの移動を確実に規制できる。
【００４０】
起立リブ２１１が天面部２１の外縁に向けて開く形状であるので、他のプロジェクター１Ａを当該天面部２１に積層する際に、当該天面部２１上をスライドさせて起立リブ２１１に係合させることができる。これによれば、例えば、起立リブ２１１が他のプロジェクター１Ａの脚部ＦＴの周縁の全てを囲む形状に形成されている場合に比べて、他のプロジェクターを天面部２１に容易に積層することができる。
【００４１】
また、起立リブ２１１が略半円形状であるので、当該起立リブ２１１により他のプロジェクター１Ａの脚部ＦＴの当該外縁方向以外の方向への移動を規制できる。従って、容易に他のプロジェクター１Ａを天面部２１に積層でき、かつ、確実に他のプロジェクター１Ａの移動を規制できる。
【００４２】
起立リブ２１１が天面部２１の外縁に沿って設けられているので、他のプロジェクター１Ａを当該プロジェクター１に積層する際に、当該他のプロジェクター１Ａの脚部ＦＴを起立リブ２１１に容易に係合させることができる。従って、容易に他のプロジェクター１Ａを積層できる。
【００４３】
４つの起立リブ２１１Ａ〜２１１Ｄが略矩形状の天面部２１の外縁を構成する＋Ｘ方向側の一辺及び当該一辺の反対側に位置する一辺（−Ｘ方向側に位置する一辺）のそれぞれに設けられているので、１つの起立リブにより他のプロジェクター１Ａの脚部の移動が規制されている場合に比べて、確実に他のプロジェクター１Ａの移動を規制できる。
【００４４】
略矩形状の天面部２１の外縁を構成する一辺及び当該一辺の反対側に位置する一辺のそれぞれに起立リブ２１１Ａ〜２１１Ｄのそれぞれが設けられ、当該起立リブ２１１Ａ〜２１１Ｄが上記傾斜面２１１２を有しているので、他のプロジェクター１Ａを当該プロジェクター１の天面部２１に積層する際に、一方の起立リブ２１１Ａ，２１１Ｂに他のプロジェクター１Ａにおける上記一辺側の脚部ＦＴ１，ＦＴ２を係合させ、他方の起立リブ２１１Ｃ，２１１Ｄに上記一辺の反対側に位置する一辺側の脚部ＦＴ３，ＦＴ４を係合させる際に、当該脚部ＦＴ３，ＦＴ４が当該起立リブ２１１Ｃ，２１１Ｄの傾斜面２１１２をスライドし、天面部２１の領域Ａｒ３，Ａｒ４に載置されることとなる。すなわち、本実施形態によれば、他のプロジェクター１Ａを当該プロジェクター１の天面部２１に容易に積層することができる。
【００４５】
２つの起立リブ２１１Ａ，２１１Ｂ及び２つの起立リブ２１１Ｃ，２１１Ｄのそれぞれが天面部２１の外縁を構成する＋Ｘ方向側の一辺及び−Ｘ方向側の一辺のそれぞれの両端近傍に設けられているので、例えば、上記２つの起立リブ２１１Ａ，２１１Ｂ及び２つの起立リブ２１１Ｃ，２１１Ｄのそれぞれが上記２つの一辺の中央近傍に設けられている場合に比べて、確実に他のプロジェクター１Ａの脚部ＦＴの移動を規制できる。
【００４６】
プロジェクター１に他のプロジェクター１Ａが積層された際に、当該他のプロジェクター１Ａの脚部ＦＴが載置される位置（領域Ａｒ１〜Ａｒ４）に応じた位置に金属枠体２Ｅが位置しているため、当該他のプロジェクター１Ａを当該金属枠体２Ｅにより支えることができる。これにより、他のプロジェクター１Ａの重量による外装筐体２の変形を抑制できる。また、外装筐体２の変形を抑制できるので、当該外装筐体２の変形により生じる投射画像の画質が著しく低下することを抑制できる。
【００４７】
プロジェクションシステム１０によれば、他のプロジェクター１Ａの移動が確実に規制されるので、複数のプロジェクター１，１Ａから投射される投射画像の位置ずれを抑制できる。従って、複数のプロジェクター１，１Ａのそれぞれから投射された投射画像を被投射面に重畳させることができる。
【００４８】
［実施形態の変形］
本発明は、上記実施形態に限定されるものではなく、本発明の目的を達成できる範囲での変形、改良等は本発明に含まれるものである。
上記実施形態では、４つの起立リブ２１１Ａ〜２１１Ｄを設けることとした。しかしながら、本発明は、これに限らない。例えば、起立リブ２１１Ａ〜２１１Ｄのいずれかのみを設けることとしてもよいし、起立リブ２１１Ａ〜２１１Ｄのうち２つの起立リブを設けることとしてもよいし、起立リブ２１１Ａ〜２１１Ｄのうち３つの起立リブを設けることとしてもよい。すなわち、１つでも起立リブを備えていればよく、起立リブの数はいくつであってもよい。
【００４９】
上記実施形態では、起立リブ２１１Ａ〜２１１Ｄのそれぞれは、他のプロジェクター１Ａの脚部ＦＴの周縁の一部に沿って形状であった。しかしながら、本発明は、これに限らない。例えば、起立リブ２１１は、上記脚部ＦＴの周縁の一部に沿わない形状であってもよい。すなわち、起立リブ２１１は、脚部ＦＴの移動を規制できれば、どのような形状であってもよい。
【００５０】
上記実施形態では、起立リブ２１１は、天面部２１の外縁に向けて開く形状（略半円形状）であることとした。しかしながら、本発明は、これに限らない。例えば、起立リブ２１１は、ドーナツ状に形成されていてもよい。この場合、他のプロジェクター１Ａをプロジェクター１の天面部に積層する際に、上記ドーナツ状の起立リブに囲まれた領域に当該他のプロジェクター１Ａの脚部が嵌まり込むように載置すればよい。この場合、上記実施形態に比べて、他のプロジェクター１Ａの脚部ＦＴの移動を更に確実に規制でき、ひいては、他のプロジェクター１Ａの移動を確実に規制できる。
【００５１】
上記実施形態では、起立リブ２１１Ａ〜２１１Ｄのそれぞれは、天面部２１の外縁に沿って設けられることとした。しかしながら、本発明は、これに限らない。例えば、起立リブ２１１Ａ〜２１１Ｄのそれぞれは、天面部２１の外縁よりも内側に配置されてもよい。この場合、他のプロジェクター１Ａの脚部ＦＴも当該内側に配置された起立リブ２１１Ａ〜２１１Ｄに対応する位置に配置されればよい。また、この場合、金属枠体２Ｅは、当該起立リブ２１１Ａ〜２１１Ｄにより囲まれた上記脚部ＦＴが載置される領域に対応する形状であればよい。
【００５２】
上記実施形態では、天面部２１及び底面部２２は、略矩形状であることとした。しかしながら、本発明は、これに限らない。例えば、天面部２１及び底面部２２の＋Ｘ方向側及び−Ｘ方向側の辺が直線状に形成されていればよい。これによれば、上記実施形態と同様の効果を奏することができる。また、例えば、天面部２１及び底面部２２は、円形状であってもよいし、楕円形状であってもよい。すなわち、天面部２１及び底面部２２の形状は、どのような形状であってもよい。
【００５３】
上記実施形態では、天面部２１の＋Ｘ方向側の端部に起立リブ２１１Ａ，２１１Ｂが設けられ、−Ｘ方向側の端部に起立リブ２１１Ｃ，２１１Ｄが設けられることとした。しかしながら、本発明は、これに限らない。例えば、＋Ｘ方向側の端部及び−Ｘ方向側の端部のいずれか側にのみ起立リブ２１１Ａ〜２１１Ｄのいずれかが設けられることとしてもよい。
【００５４】
上記実施形態では、起立リブ２１１Ａ〜２１１Ｄは、天面部２１から離れるに従って外装筐体２の外側から内側に向けて傾斜する傾斜面２１１２を備えることとした。しかしながら、本発明は、これに限らない。例えば、起立リブ２１１Ａ〜２１１Ｄのそれぞれ、若しくは、一部の起立リブが傾斜面２１１２を備えなくてもよい。
【００５５】
上記実施形態では、外装筐体２内には、金属枠体２Ｅが設けられることとした。しかしながら、本発明は、これに限らない。例えば、金属枠体２Ｅを設けなくてもよい。この場合、天面部２１における他のプロジェクター１Ａの脚部ＦＴが載置される領域を他の部分に比べて厚さ寸法を拡大すればよい。この場合であっても、外装筐体２の歪みの発生を低減できる。また、金属枠体２Ｅは、金属により構成されなくてもよい。
【００５６】
上記実施形態において、プロジェクター１，１Ａを積層させる際に、他のプロジェクター１Ａをプロジェクター１の上部を＋Ｘ方向側から−Ｘ方向側に移動させることとした。しかしながら、本発明は、これに限らない。例えば、他のプロジェクター１Ａをプロジェクター１の上部を−Ｘ方向側から＋Ｘ方向側に移動させることとしてもよい。この場合、他のプロジェクター１Ａの脚部ＦＴ３，ＦＴ４がプロジェクター１の天面部２１における起立リブ２１１Ｃ，２１１Ｄに係合され、その後、他のプロジェクター１Ａの脚部ＦＴ１，ＦＴ２が起立リブ２１１Ａ，２１１Ｂの傾斜面２１１２をスライドして、上記領域Ａｒ１，Ａｒ２に載置されればよい。この場合であっても、上記実施形態と同様の効果を奏することができる。
【００５７】
上記実施形態において、プロジェクションシステム１０は、同形状のプロジェクター１及びプロジェクター１Ａが積層されることにより構成されることとした。しかしながら、本発明は、これに限らない。例えば、プロジェクションシステム１０は、プロジェクター１の天面部２３に当該プロジェクター１とは異なる形状のプロジェクターが積層されることにより構成されてもよい。具体的に、当該異なる形状のプロジェクターの脚部がプロジェクター１の天面部２３における起立リブ２１１Ａ〜２１１Ｄのいずれかに係合し、当該異なる形状のプロジェクターの脚部の移動を規制できればよい。
【００５８】
上記各実施形態では、色合成装置４５５は、いわゆるクロスダイクロイックプリズムにより構成されるとした。しかしながら、本発明は、これに限らない。例えば、色合成装置４５５は、いわゆるギャップレスプリズムにより構成されてもよい。
【００５９】
上記各実施形態では、光変調装置として透過型の液晶パネル３４（３４Ｒ，３４Ｇ，３４Ｂ）を用いることとした。しかしながら、本発明は、これに限らない。例えば、透過型の液晶パネル３４（３４Ｒ，３４Ｇ，３４Ｂ）に代えて、反射型の光変調装置を用いてもよい。この場合、色分離装置３２を設けることなく、色合成装置３５により、色分離及び色合成を実行するようにしてもよい。
【００６０】
上記実施形態では、プロジェクター１は、３つの液晶パネル４５３（４５３Ｒ，４５３Ｇ，４５３Ｂ）を備えるとしたが、本発明はこれに限らない。すなわち、２つ以下、あるいは、４つ以上の光変調装置を用いたプロジェクターにも、本発明を適用可能である。
また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【符号の説明】
【００６１】
１…プロジェクター、１Ａ…他のプロジェクター、１０…プロジェクションシステム、２…外装筐体、２１…天面部、２１１，２１１Ａ，２１１Ｂ，２１１Ｃ，２１１Ｄ…起立リブ、２１１１…本体部、２１１２…傾斜面、２２…底面部、２Ｅ…金属枠体、２Ｅ１…第１枠部、２Ｅ２…第２枠部、３１…光源装置、３４…光変調装置、３６…投射光学装置、ＦＴ，ＦＴ１，ＦＴ２，ＦＴ３，ＦＴ４…脚部。
【図１】
0006638417.tif 000002
【図２】
0006638417.tif 000003
【図３】
0006638417.tif 000004
【図４】
0006638417.tif 000005
【図５】
0006638417.tif 000006
【図６】
0006638417.tif 000007
【図７】
0006638417.tif 000008
【図８】
0006638417.tif 000009